(57)【要約】【課題】基礎天面部と外壁下端部との間に床下換気口が設けられ、床側断熱材の下面が、基礎天面部のレベルを越えて下方に突出している場合でも、床下を有効的に換気でき、また同時に、外壁側断熱材と床側断熱材を連続させることも可能な床下換気構造を提供する。【解決手段】基礎天面部１に沿って配置される水平部８ａと、基礎天面側の床下側の側面部に沿って配置される垂直部８ｂとを備えたＬ形の通風ガイド８が設けられ、該通風ガイド８によって前記床下換気口４と床下空間部９とが連通されている。また、通風ガイド８の水平部８ａの上側に、外壁側断熱材１１と床側断熱材７とを連続させる断熱材１０が設けられている。【選択図】      図１
2007285067.tif 000002
【特許請求の範囲】
【請求項１】
基礎天面部と外壁下端部との間に床下換気口が設けられ、床側断熱材の下面が、基礎天面部のレベルないしはその近傍に達し、あるいは、基礎天面部のレベルを越えて下方に突出している床下換気構造であって、
基礎天面部に沿って配置される水平部と、基礎天面側の床下側の側面部に沿って配置される垂直部とを備えたＬ形の通風ガイドが設けられ、該通風ガイドによって前記床下換気口と床下空間部とが連通されていることを特徴とする床下換気構造。
【請求項２】
前記通風ガイドの水平部の上側に、外壁側の断熱材と床側の断熱材とを連続させる断熱材が設けられている請求項１に記載の床下換気構造。
【請求項３】
前記床側断熱材が繊維系断熱材からなり、前記Ｌ形の通風ガイドの垂直部が板状をしていて、通風が、該板状垂直部と基礎天面側の床下側の側面部との間を通じて行われるようになされている請求項１又は２に記載の床下換気構造。
【発明の詳細な説明】
【技術分野】
【０００１】
本発明は、床下換気構造に関する。
【背景技術】
【０００２】
図３に示すように、基礎天面部１と外壁パネル２の下端部との間に、スペーサー３で床下換気口４を形成し、該床下換気口４を通じて床下が換気されるようになされた床下換気構造は、従来より知られている。
【特許文献１】特開２００６−０４５９９６号公報
【発明の開示】
【発明が解決しようとする課題】
【０００３】
しかしながら、上記のような床下換気構造において、同図に示すように、例えば、大引６の上に根太レスで床板５を設置し、床側断熱材７を隣り合う大引６間に設置するような場合、該床側断熱材７の下面が基礎天面部１のレベルを越えて下方に突出してしまうことがあり、それにより、床下換気口４が床側断熱材７によって閉鎖され、床下の換気が行われにくくなってしまうという問題を生じることがある。
【０００４】
特に、床側断熱材７がグラスウール等の繊維系断熱材の場合、雨天時には、湿気を含んだ屋外の空気が床下換気口４を通じて床側断熱材７の側面部を通じて同床側断熱材の内部に侵入し、床側断熱材７の断熱性能を損なわせてしまうことがある。
【０００５】
また、床側断熱材７と外壁２側の断熱材１１とを連続させるため、それらの間に図示しない断熱材を設置すると、その断熱材によって床下換気口４が閉鎖されて床下換気の妨げになってしまい、床下換気を優先させるか、断熱性能を優先させるかの択一的な選択を迫られ、進退両難の地位に陥れられてしまうという問題もある。
【０００６】
本発明は、上記のような問題点に鑑み、基礎天面部と外壁下端部との間に床下換気口が設けられ、床側断熱材の下面が、基礎天面部のレベルないしはその近傍に達し、あるいは、基礎天面部のレベルを越えて下方に突出しているような場合であっても、床下を有効的に換気することができる床下換気構造を提供することを課題とする。
【課題を解決するための手段】
【０００７】
上記の課題は、基礎天面部と外壁下端部との間に床下換気口が設けられ、床側断熱材の下面が、基礎天面部のレベルないしはその近傍に達し、あるいは、基礎天面部のレベルを越えて下方に突出している床下換気構造であって、
基礎天面部に沿って配置される水平部と、基礎天面側の床下側の側面部に沿って配置される垂直部とを備えたＬ形の通風ガイドが設けられ、該通風ガイドによって前記床下換気口と床下空間部とが連通されていることを特徴とする床下換気構造によって解決される（第１発明）。
【０００８】
この床下換気構造では、Ｌ形の通風ガイドが設けられていることで、基礎天面部と外壁下端部との間の床下換気口は、床側断熱材に妨げられることなく、床下空間部と連通され、床下を有効的に換気することができる。
【０００９】
第１発明において、通風ガイドの水平部の上側に、外壁側の断熱材と床側の断熱材とを連続させる断熱材が設けられている場合（第２発明）は、該断熱材によって、床と外壁との間の断熱欠損をなくすことができて建物の断熱性能を高めることができ、しかも、該断熱材によって床下換気が妨げられることがなく床下を有効的に換気することができる。
【００１０】
第１，第２発明において、床側断熱材が繊維系断熱材からなり、Ｌ形の通風ガイドの垂直部が板状をしていて、通風が、該板状垂直部と基礎天面側の床下側の側面部との間を通じて行われるようになされている場合（第３発明）は、通風ガイドの板状垂直部によって、雨天時に、湿気を含んだ屋外の空気が床下換気口を通じて床側断熱材の側面部を通じて同床側断熱材の内部に侵入するのを防ぐことができ、床側の繊維系断熱材の断熱性能を損なわせてしまうのを防ぐことができる。
【発明の効果】
【００１１】
本発明は、以上のとおりのものであるから、基礎天面部と外壁下端部との間に床下換気口が設けられ、床側断熱材の下面が、基礎天面部のレベルないしはその近傍に達し、あるいは、基礎天面部のレベルを越えて下方に突出しているような場合であっても、床下を有効的に換気することができる。
【発明を実施するための最良の形態】
【００１２】
次に、本発明の実施最良形態を図面に基づいて説明する。
【００１３】
図１に示す第１実施形態の床下換気構造は、図１（イ）に示すように、基礎天面部１と外壁パネル２の下端部との間にスペーサー３によって床下換気口４が形成されている一方、床板５は大引６の上に根太レスで設置されていると共に、隣り合う大引６間には、グラスウール等の繊維系からなる床側断熱材７が設置され、該床側断熱材７の下面は、基礎天面部１のレベルを越えて下方に突出した構造になっている。
【００１４】
この床下換気構造において、８が通風ガイドであり、該通風ガイド８は、基礎天面部１に沿って配置される水平部８ａと、基礎天面側の床下側の側面部に沿って配置される垂直部８ｂとを備えたＬ形をしている。そして、図１（ロ）に示すように、水平部８ａも垂直部８ｂも板状をしていて、板状水平部８ａの下面側にはリブ８ｃ…が間隔的に備えられ、該板状水平部８ａがリブ８ｃ…を介して基礎天面部１に設置されることで板状水平部８ａと基礎天面部１との間に通気用の隙間が形成され、また、板状垂直部８ｂは、基礎天面側の床下側の側面部との間に通気用の隙間を形成し、この隙間と床側断熱材７との間を仕切るように設置され、これら隙間を通じて床下換気口４が床下空間部９と連通されている。
【００１５】
そして、通風ガイド８の板状水平部８ａの上側に断熱材１０が設置され、該断熱材１０が、外壁２側の断熱材１１と床側断熱材７とを連続させている。
【００１６】
上記の床下換気構造では、Ｌ形の通風ガイド８が備えられ、その板状水平部８ａと基礎天面部１との間の隙間、及び、板状垂直部８ｂと基礎天面部側の床下側の側面部との間の隙間を通じて、床下換気口４が床下空間部９と連通されているので、床下を床側断熱材７に妨げられることなく有効的に換気することができると共に、通風ガイド８の板状垂直部８ｂによって、床側断熱材７の雨天時の吸湿が防がれて床側断熱材７の断熱性能低下を防ぐことができる。
【００１７】
しかも、通風ガイド８の板状水平部８ａの上側に設置された断熱材１０によって床と外壁との間の断熱欠損をなくすことができて建物の断熱性能を高めることができ、また、床下換気口４は、板状水平部８ａと基礎天面部１との間の隙間を通じて床下空間部９と連通されているので、該断熱材１０によって床下換気口４が閉鎖されてしまうこともなく、床下を有効的に換気することができる。
【００１８】
図２に示す第２実施形態の床下換気構造は、外壁側の断熱材１１と床側断熱材７とを連続させる断熱材１０が通風ガイド８の水平部８ａと一体化されているもので、発泡樹脂等の一体成形品からなっており、第１実施形態と同様の作用効果が奏されると共に、部品の点数を削減することができる。
【００１９】
以上に、本発明の実施形態を示したが、本発明はこれに限られるものではなく、発明思想を逸脱しない範囲で各種の変更が可能である。例えば、上記の実施形態では、Ｌ形の通風ガイド８の水平部８ａと基礎天面部１との間の隙間、及び、通風ガイド８の垂直部８ｂと基礎天面側の床側の側面との間の隙間を通じて、床下換気口４を床下空間部９と連通させた場合を示しているが、第１，第２発明等においては、ピース状のＬ形通風ガイドを間隔的に列設し、隣り合う通風ガイド間を、床下換気口４と床下空間部９との連通部としてもよい。
【００２０】
また、上記の実施形態では、外壁側断熱材１１と床側断熱材７とを連続させる断熱材１０が、床側断熱材７と別体で、外壁側断熱材１１とも別体のものからなっているが、外壁側断熱材１１と床側断熱材７のいずれか一方又は両方を延長し、該延長部分を、外壁側断熱材１１と床側断熱材７とを連続させる断熱材としてもよい。
【００２１】
また、上記の実施形態では、床側断熱材７が繊維系断熱材である場合を示したが、第１，第２発明では、床側断熱材７が発泡系断熱材などであってもよい。
【００２２】
また、上記の実施形態では、床側断熱材７の下面が基礎天面部１のレベルを越えて下方に突出している場合を示したが、本発明は、床側断熱材７の下面が基礎天面部１のレベルないしはその近傍に達している場合に用いられてもよい。
【００２３】
更に、本発明では、床側断熱材の下面が、基礎天面部のレベルないしはその近傍に達し、あるいは、基礎天面部のレベルを越えて下方に突出していればよく、従って、床は根太レス床でなくてもよいし、また、床側断熱材は大引間に設置される断熱材でなくてもよい。
【図面の簡単な説明】
【００２４】
【図１】図（イ）は第１実施形態の床下換気構造を示す断面正面図、図（ロ）は同換気構造に用いられるＬ型通風ガイドの斜視図である。
【図２】図（イ）は第２実施形態の床下換気構造を示す断面正面図、図（ロ）は同換気構造に用いられる断熱材一体型のＬ型通風ガイドの斜視図である。
【図３】関連技術を示すもので、床下換気構造の断面正面図である。
【符号の説明】
【００２５】
１…基礎天面部
２…外壁パネル（外壁）
４…床下換気口
７…床側断熱材
８…通風ガイド
８ａ…水平部
８ｂ…垂直部
９…床下空間部
１０…断熱材
１１…外壁側断熱材
【図１】
2007285067.tif 000003
【図２】
2007285067.tif 000004
【図３】
2007285067.tif 000005